(57)【特許請求の範囲】
【請求項１】
遊技を行うために必要な遊技用装置を収納するために、六面体の箱状に形成されるとともに、前面が開口された筐体と、この筐体の前面の開口を塞ぐ前扉とを備え、前記前扉の前面に操作用のスイッチが設けられ、且つ、遊技媒体としてメダルが投入される遊技機であって、
前記前扉は、
当該前扉の前面の輪郭に応じて枠状に形成された枠状フレームと、
前記前扉の左側の端縁に沿って延びる前記枠状フレームの左側縁部に重ねて配置される左サイドユニットと、
前記前扉の右側の端縁に沿って延びる前記枠状フレームの右側縁部に重ねて配置される右サイドユニットと、
前記左サイドユニット及び前記右サイドユニットの間に挟まれた状態で、前記枠状フレームの上端部分に配置される上部マスクユニットと、
前記左サイドユニット及び前記右サイドユニットの間に挟まれた状態で、前記枠状フレームの下端部分に配置されるとともに、投入されたメダルの選別を行うセレクタが裏側に設けられている下部マスクユニットと、
前記左サイドユニット及び前記右サイドユニットの間に挟まれた状態で、前記下部マスクユニットの上部に取り付けられるとともに、操作用のスイッチ及びメダルの投入口が設けられているコンソールユニットと、
外部から内部の遊技用装置を見せるために形成された窓、及び、内部の遊技用装置を保護するために、前記窓に嵌め込まれた透明面材を有し、且つ、前記コンソールユニット及び前記上部マスクユニットの間の開口を塞ぐように配置される窓パネルユニットと、
を備え、
前記上部マスクユニット及び前記下部マスクユニットのそれぞれの左方に位置する端縁には、その上下方向のほぼ全長に渡って延びているとともに、前記枠状フレーム及び前記左サイドユニットの間に介装される左側鍔部が形成され、且つ、この左側鍔部を貫通するとともに、棒状の接合具が挿通される挿通孔が設けられ、
前記上部マスクユニット及び前記下部マスクユニットのそれぞれの右方に位置する端縁には、その上下方向のほぼ全長に渡って延びているとともに、前記枠状フレーム及び前記右サイドユニットの間に介装される右側鍔部が形成され、且つ、この右側鍔部を貫通するとともに、棒状の接合具が挿通される挿通孔が設けられ、
前記枠状フレームには、前記上部マスクユニット及び前記下部マスクユニットのそれぞれに形成されている前記挿通孔に対応した位置に、棒状の接合具が挿通される挿通孔が設けられ、
前記上部マスクユニットの前記左側鍔部は、前記左サイドユニット及び前記枠状フレームの間に挟まれた状態で、当該左側鍔部の前記挿通孔及び前記枠状フレームの前記挿通孔の両方を通り抜けた接合具の先端を前記左サイドユニットに係止させることによって前記枠状フレームに固定され、
前記上部マスクユニットの前記右側鍔部は、前記右サイドユニット及び前記枠状フレームの間に挟まれた状態で、当該右側鍔部の前記挿通孔及び前記枠状フレームの前記挿通孔の両方を通り抜けた接合具の先端を前記右サイドユニットに係止させることによって前記枠状フレームに固定され、
前記下部マスクユニットの前記左側鍔部は、前記左サイドユニット及び前記枠状フレームの間に挟まれた状態で、当該左側鍔部の前記挿通孔及び前記枠状フレームの前記挿通孔の両方を通り抜けた接合具の先端を前記左サイドユニットに係止させることによって前記枠状フレームに固定され、
前記下部マスクユニットの前記右側鍔部は、前記右サイドユニット及び前記枠状フレームの間に挟まれた状態で、当該右側鍔部の前記挿通孔及び前記枠状フレームの前記挿通孔の両方を通り抜けた接合具の先端を前記右サイドユニットに係止させることによって前記枠状フレームに固定され、
前記コンソールユニットは、前記枠状フレームに取り付けられた状態の前記下部マスクユニット、前記左サイドユニット及び前記右サイドユニットに取り付けられ、
前記窓パネルユニットは、その上端部分が前記枠状フレームに取り付けられた前記上部マスクユニットの下端部分に裏側から重ね合わされて取り付けられ、且つ、その下端部分が前記コンソールユニットの上端部分に裏側から重ね合わされて取り付けられていることを特徴とする遊技機。
【請求項２】
前記左サイドユニット及び前記右サイドユニットの互いに対向する端面には、互いに近づく方向に突出したフランジ部が形成され、
前記コンソールユニットと前記下部マスクユニットとには、互いに対応する位置に設けられるとともに、互いに凹凸嵌合することによって前記下部マスクユニットに対する、前記コンソールユニットの左右方向及び上下方向の位置を決める位置決め部が形成され、
前記左サイドユニット及び前記右サイドユニットの前記フランジ部と、前記コンソールユニットとには、互いに対応する位置に設けられるとともに、互いに凹凸嵌合することによって前記左サイドユニット及び前記右サイドユニットに対する、前記コンソールユニットの左右方向及び上下方向の位置を決める位置決め部が形成され、
前記コンソールユニット及び前記下部マスクユニットの少なくとも一方の位置決め部の先端近傍には、前記コンソールユニット及び前記下部マスクユニットの一方に対する前後方向の位置決めを行うために、他方の位置決め部に所定位置で係合する段付部が形成されていることを特徴とする請求項１記載の遊技機。
【発明の詳細な説明】
【技術分野】
【０００１】
本発明は、遊技を行うために必要な遊技用装置を収納するために、六面体の箱状に形成されるとともに、前面が開口された筐体と、この筐体の前面の開口を塞ぐ前扉とを備え、前記前扉の前面に操作用のスイッチが設けられ、且つ、遊技媒体としてメダルが投入される遊技機に関する。
【背景技術】
【０００２】
従来から、遊技者に娯楽を提供する遊技機として、外周面に複数種類の図柄が記された複数の回転リールを備え、回転状態の回転リールを遊技者に停止させて図柄を揃えさせる遊技を行うスロットマシンが利用されている。
このようなスロットマシンは、六面体の箱状に形成されるとともに、前面が開口された筐体と、この筐体の前面の開口を塞ぐ前扉とを備えたものとなっている。
そして、スロットマシンの筐体の内部には、前述の回転リールを有するリールユニット、遊技用のメダルを遊技者に払い出すためのホッパーユニット、並びに、リールユニット及びホッパーユニット等の動作を制御するための制御装置等が収納されている。
また、スロットマシンの前扉には、遊技媒体としてのメダルが投入される投入口、並びに、回転リールの回転を開始させるために操作されるスタートスイッチ、及び、回転リールの回転を停止させるために操作されるストップスイッチ等の操作用のスイッチが設けられている。
【０００３】
ここで、スロットマシンの前扉としては、遊技場で古い機種から新しい機種への機種変更が、既存のスロットマシンの部品交換で行えるように、前扉を複数の部品に分割し、それらを個々に交換可能としたスロットマシンが知られている。
すなわち、前扉は、上端からスタートスイッチ等が設けられた操作部までの部分を構成する上部マスクユニットと、この上部マスクユニットよりも下方の部分を構成する下部マスクユニットとの二つに分割されたものとなっている。
これらの上部マスクユニット及び下部マスクユニットの両方の裏面には、長方形の枠状に形成されたベース枠体が接合されている。上部マスクユニット及び下部マスクユニットは、このベース枠体によって相互に連結されたものとなっている。
【０００４】
そして、上部マスクユニットには、スタートスイッチやストップスイッチ等のスイッチが取り付けられている前述の操作部に加えて、内部の回転リールを外部に見せるためのリール窓が設けられるとともに、前扉の裏側に設置される液晶表示装置の画面を外部に見せるための画面表示窓が形成された化粧枠体が取り付けられるようになっている。
下部マスクユニットには、スロットマシンの機種名入りのパネルが着脱可能に設けられているとともに、ホッパーユニットから払い出されるメダルを受ける受皿が形成されている。
ベース枠体には、長方形状の両側に配置されているとともに上下方向に延びる一対の縦材の途中部分同士を連結する補強ステーが設けられている。
補強ステーは、裏側に設置される液晶表示装置の重さでベース枠体が変形しないように、ベース枠体の補強を行うものとなっている。
具体的には、ベース枠体の裏側に液晶表示装置を設置するにあたり、液晶表示装置をベース枠体の上辺となる横材と補強ステーとの両方に跨らせ、この状態で液晶表示装置がベース枠体に取り付けられるようになっている。これにより、液晶表示装置の重量が補強ステーにも分散され、液晶表示装置の重さでベース枠体が変形することが未然に防止されるようになっている。
【０００５】
このようなスロットマシンによれば、新機種に変更するにあたり、上部マスクユニットの化粧枠体、及び、下部マスクユニットのパネルを新たなものに交換することで、前扉の外観を変更することができるうえ、それ以外の部品については、その再利用が図れるようになるので、新機種に要するコストの低減を図ることができるうえ、資源消費の低減も図ることができる（例えば、特許文献１参照）。
【０００６】
【特許文献１】特開２００９−１８３４０２号公報
【発明の開示】
【発明が解決しようとする課題】
【０００７】
前述のようなスロットマシンでは、前扉を構成する部品が交換を前提としているので、相互の接合がネジ等の棒状の接合具で行われるので、前扉の外観を大幅に変更可能とするために、前扉の構成部品の数を増やすと、棒状の接合具による接合箇所が増大する。この接合箇所の増大よって、スロットマシンの組立作業時間が長びき、これにより、部品の再利用によるコストの低減が充分に図れなくなる、という問題がある。
さらに、前扉の構成部品を増やすと、構成部品の間に形成される隙間が増え、このような隙間には、針金等の細長い器具が挿入可能となるので、部品点数の増加に起因して、針金等の細長い器具の挿入可能な箇所が増え、そのままでは、不正行為を防止する対策が不充分になる、という問題が生じる。
【０００８】
そこで、各請求項にそれぞれ記載された各発明は、上記した従来の技術の有する問題点に鑑みてなされたものであり、その目的とするところは、外観を大幅に変更可能とするために、前扉の構成する構成部品の増加によって、機種変更の際における外観の大幅な変更を可能にしても、構成部品の再利用によるコストの低減と、防犯対策とが充分に図れる遊技機を提供することである。
【課題を解決するための手段】
【０００９】
各請求項にそれぞれ記載された各発明は、前述の目的を達成するためになされたものである。以下に、各発明の特徴点を、図面に示した発明の実施の形態を用いて説明する。
なお、符号は、発明の実施の形態において用いた符号を示し、本発明の技術的範囲を限定するものではない。
【００１０】
（請求項１）
（特徴点）
請求項１記載の発明は、次の点を特徴とする。
すなわち、請求項１に記載された発明は、遊技を行うために必要な遊技用装置を収納するために、六面体の箱状に形成されるとともに、前面が開口された筐体(２)と、この筐体(２)の前面の開口を塞ぐ前扉(３)とを備え、前記前扉(３)の前面に操作用のスイッチ(7D〜7H)が設けられ、且つ、遊技媒体としてメダルが投入される遊技機(１)であって、前記前扉(３)は、当該前扉(３)の前面の輪郭に応じて枠状に形成された枠状フレーム(10)と、前記前扉(３)の左側の端縁に沿って延びる前記枠状フレーム(10)の左側縁部(13)に重ねて配置される左サイドユニット(40)と、前記前扉(３)の右側の端縁に沿って延びる前記枠状フレーム(10)の右側縁部(14)に重ねて配置される右サイドユニット(50)と、前記左サイドユニット(40)及び前記右サイドユニット(50)の間に挟まれた状態で、前記枠状フレーム(10)の上端部分に配置される上部マスクユニット(20)と、前記左サイドユニット(40)及び前記右サイドユニット(50)の間に挟まれた状態で、前記枠状フレーム(10)の下端部分に配置されるとともに、投入されたメダルの選別を行うセレクタ(８)が裏側に設けられている下部マスクユニット(30)と、前記左サイドユニット(40)及び前記右サイドユニット(50)の間に挟まれた状態で、前記下部マスクユニット(30)の上部に取り付けられるとともに、操作用のスイッチ及びメダルの投入口が設けられているコンソールユニット(60)と、外部から内部の遊技用装置を見せるために形成された窓(4A)、及び、内部の遊技用装置を保護するために、前記窓(4A)に嵌め込まれた透明面材(72)を有し、且つ、前記コンソールユニット(60)及び前記上部マスクユニット(20)の間の開口を塞ぐように配置される窓パネルユニット(70)とを備え、前記上部マスクユニット(20)及び前記下部マスクユニット(30)のそれぞれの左方に位置する端縁には、その上下方向のほぼ全長に渡って延びているとともに、前記枠状フレーム(10)及び前記左サイドユニット(40)の間に介装される左側鍔部(21, 31)が形成され、且つ、この左側鍔部(21, 31)を貫通するとともに、棒状の接合具が挿通される挿通孔が設けられ、前記上部マスクユニット(20)及び前記下部マスクユニット(30)のそれぞれの右方に位置する端縁には、その上下方向のほぼ全長に渡って延びているとともに、前記枠状フレーム(10)及び前記右サイドユニット(50)の間に介装される右側鍔部(22, 32)が形成され、且つ、この右側鍔部(22, 32)を貫通するとともに、棒状の接合具が挿通される挿通孔が設けられ、前記枠状フレーム(10)には、前記上部マスクユニット(20)及び前記下部マスクユニット(30)のそれぞれに形成されている前記挿通孔に対応した位置に、棒状の接合具が挿通される挿通孔が設けられ、前記上部マスクユニット(20)の前記左側鍔部(21)は、前記左サイドユニット(40)及び前記枠状フレーム(10)の間に挟まれた状態で、当該左側鍔部(21)の前記挿通孔及び前記枠状フレーム(10)の前記挿通孔の両方を通り抜けた接合具の先端を前記左サイドユニット(40)に係止させることによって前記枠状フレーム(10)に固定され、前記上部マスクユニット(20)の前記右側鍔部(22)は、前記右サイドユニット(50)及び前記枠状フレーム(10)の間に挟まれた状態で、当該右側鍔部(22)の前記挿通孔及び前記枠状フレーム(10)の前記挿通孔の両方を通り抜けた接合具の先端を前記右サイドユニット(50)に係止させ��ことによって前記枠状フレーム(10)に固定され、前記下部マスクユニット(30)の前記左側鍔部(31)は、前記左サイドユニット(40)及び前記枠状フレーム(10)の間に挟まれた状態で、当該左側鍔部(31)の前記挿通孔及び前記枠状フレーム(10)の前記挿通孔の両方を通り抜けた接合具の先端を前記左サイドユニット(40)に係止させることによって前記枠状フレーム(10)に固定され、前記下部マスクユニット(30)の前記右側鍔部(32)は、前記右サイドユニット(50)及び前記枠状フレーム(10)の間に挟まれた状態で、当該右側鍔部(32)の前記挿通孔及び前記枠状フレーム(10)の前記挿通孔の両方を通り抜けた接合具の先端を前記右サイドユニット(50)に係止させることによって前記枠状フレーム(10)に固定され、前記コンソールユニット(60)は、前記枠状フレーム(10)に取り付けられた状態の前記下部マスクユニット(30)、前記左サイドユニット(40)及び前記右サイドユニット(50)に取り付けられ、前記窓パネルユニット(70)は、その上端部分が前記枠状フレーム(10)に取り付けられた前記上部マスクユニット(20)の下端部分に裏側から重ね合わされて取り付けられ、且つ、その下端部分が前記コンソールユニット(60)の上端部分に裏側から重ね合わされて取り付けられていることを特徴とする。
【００１１】
（請求項２）
（特徴点）
請求項２記載の発明は、前述した請求項１に記載の発明において、次の特徴点を備えているものである。
すなわち、請求項２に記載された発明は、前記左サイドユニット(40)及び前記右サイドユニット(50)の互いに対向する端面(41A, 51A)には、互いに近づく方向に突出したフランジ部(42, 52)が形成され、前記コンソールユニット(60)と前記下部マスクユニット(30)とには、互いに対応する位置に設けられるとともに、互いに凹凸嵌合することによって前記下部マスクユニット(30)に対する、前記コンソールユニット(60)の左右方向及び上下方向の位置を決める位置決め部(63,64,65, 34A,35A,36B)が形成され、前記左サイドユニット(40)及び前記右サイドユニット(50)の前記フランジ部(42, 52)と、前記コンソールユニット(60)とには、互いに対応する位置に設けられるとともに、互いに凹凸嵌合することによって前記左サイドユニット(40)及び前記右サイドユニット(50)に対する、前記コンソールユニット(60)の左右方向及び上下方向の位置を決める位置決め部(43A,53A,44A,54A, 61,62)が形成され、前記コンソールユニット(60)及び前記下部マスクユニット(30)の少なくとも一方の位置決め部(65A) の先端近傍には、前記コンソールユニット(60)及び前記下部マスクユニット(30)の一方に対する前後方向の位置決めを行うために、他方の位置決め部(36B) に所定位置で係合する段付部(65B) が形成されていることを特徴とする。
【発明の効果】
【００１２】
（請求項１の効果）
以上のように構成されている本発明は、以下に記載されるような効果を奏する。
すなわち、請求項１記載の発明によれば、前扉の前面輪郭に応じた形状の枠状フレームと、前扉の左側端縁に配置される左サイドユニットと、前扉の右側端縁に配置される右サイドユニットと、枠状フレームの上端部分に配置される上部マスクユニットと、枠状フレームの下端部分に配置される下部マスクユニットと、下部マスクユニットの上部に取り付けられるコンソールユニットと、コンソールユニット及び上部マスクユニットの間に配置される窓パネルユニットとを前扉の構成部品とし、これらの構成部品を組み合わせることで、前扉が形成されるようにしたので、例えば、左サイドユニット、右サイドユニット及び上部マスクユニットを別のものに交換するだけで、見るの者の印象が大きく異なる外観にすることができ、これにより、機種変更の際における外観の大幅な変更を充分図ることができる。
また、上部マスクユニットの両方の側縁にそれぞれ左側鍔部及び右側鍔部を設け、下部マスクユニットの両方の側縁にも、上部マスクユニットと同様に、それぞれ左側鍔部及び右側鍔部を設け、上部マスクユニット及び下部マスクユニットのそれぞれの左側鍔部を枠状フレーム及び左サイドユニットの間に介装し、枠状フレーム及び左側鍔部の両方の挿通孔に挿通されて接合具を左サイドユニットに係止させ、且つ、上部マスクユニット及び下部マスクユニットのそれぞれの右側鍔部を枠状フレーム及び右サイドユニットの間に介装し、枠状フレーム及び右側鍔部の両方の挿通孔に挿通されて接合具を右サイドユニットに係止させることで、右サイドユニット、左サイドユニット、上部マスクユニット及び下部マスクユニットを枠状フレームに取り付けるようにしたので、上部マスクユニット及び下部マスクユニットに係止させる接合具が必要なく、構成部品の数が増えているにもかかわらず、接合箇所を増やす必要がなく、構成部品の点数増加に起因した接合箇所の増大を未然に防止することができる。
従って、前扉の構成部品の数を増やしても、接合具による接合箇所が増えないので、スロットマシンの組立作業時間が長引くことがなく、部品の再利用によってコストの低減も充分に図れるようになる。
さらに、枠状フレームに取り付けられた上部マスクユニットの下端部分に窓パネルユニットの上端部分を裏側から重ね合わせ、この状態で窓パネルユニットの上端部分を上部マスクユニットに取り付け、且つ、コンソールユニットの上端部分に窓パネルユニットの下端部分を裏側から重ね合わせ、この状態で窓パネルユニットの下端部分をコンソールユニットに取り付けるようにしたので、上部マスクユニット及び下部マスクユニットを枠状フレームに取り付ける際に、上部マスクユニット及び下部マスクユニットの枠状フレームに対する位置に誤差が生じていても、ひいては、コンソールユニットの枠状フレームに対する位置に誤差が生じていても、例えば、窓パネルユニットの上端部分及び下端部分に、接合具の直径よりも充分大きな直径の挿通孔を設けておけば、窓パネルユニットの取り付けが何ら問題なく行える。
従って、上部マスクユニット及び下部マスクユニットの枠状フレームへの取付精度が緩和され、その取付作業の時間短縮が図れるようになるので、スロットマシンの組立作業時間を短縮でき、この点からも、コストの低減を充分に図れるようになる。
さらに、上部マスクユニットの両側の左側鍔部及び右側鍔部と、下部マスクユニットの両側の左側鍔部及び右側鍔部とにより、右サイドユニット及び左サイドユニットと、上部マスクユニット及び下部マスクユニットとの間に形成される隙間が裏側から塞がれるので、構成部品の点数増加に起因して隙間の形成箇所が増えても、当該隙間から針金等の細長い器具を挿入することが未然に防止されるようになり、不正行為の防止も充分に図ることができるようになり、以上により、前記目的が達成される。
【００１３】
（請求項２の効果）
請求項２記載の発明によれば、上記した請求項１記載の発明の効果に加え、次のような効果を奏する。
すなわち、請求項２記載の発明によれば、左サイドユニット及び右サイドユニットの互いに対向する端面に、互いに近づく方向に突出したフランジ部を形成し、コンソールユニット及び下部マスクユニットの双方に、相手に対して左右方向及び上下方向における位置決めを行う凹凸嵌合式の位置決め部を形成し、左サイドユニット及び右サイドユニットのフランジ部と、コンソールユニットとの双方に、相手に対して左右方向及び上下方向における位置決めを行う凹凸嵌合式の位置決め部を形成したので、左サイドユニット、右サイドユニット、上部マスクユニット、及び、下部マスクユニットを枠状フレームに取り付け、これにより、前扉の組立工程における途中の状態である中間組立品を形成した後、この中間組立品にコンソールユニットを取り付けるにあたり、左サイドユニット及び右サイドユニットのフランジ部に設けた位置決め部、並びに、下部マスクユニットの位置決め部にコンソールユニットの位置決め部を嵌合させれば、中間組立品の所定位置にコンソールユニットを正確、且つ、迅速に取り付けることができ、これにより、スロットマシンの組立作業時間を短縮でき、この点からも、てコストの低減を充分に図れるようになる。
しかも、コンソールユニット及び下部マスクユニットの少なくとも一方の位置決め部の先端近傍に、相手に対して前後方向における位置決めを行うために、他方の位置決め部に所定位置で係合する段付部を形成したので、下部マスクユニットの位置決め部にコンソールユニットの位置決め部を嵌合させるとともに、一方の位置決め部の段付部を他方の位置決め部の所定位置に係合させれば、下部マスクユニットの前後方向における所定位置にコンソールユニットを正確且つ迅速に配置することができ、これにより、下部マスクユニット側に設けられているセレクタのメダル入口と、コンソールユニット側に設けられているメダルの投入口との位置合わせも正確且つ迅速に行われ、この点からも、スロットマシンの組立作業時間を短縮でき、コストの低減を充分に図れるようになる。
【図面の簡単な説明】
【００１４】
【図１】本発明の一実施形態に係る遊技機であるスロットマシンを示す正面図である。
【図２】前記実施形態に係る前扉を示す斜視図である。
【図３】前記実施形態に係る前扉を示す分解状態の斜視図である。
【図４】前記実施形態に係る左及び右サイドユニットを示す正面図である。
【図５】前記実施形態に係るフランジ部を裏側から示す拡大斜視図である。
【図６】前記実施形態に係るフランジ部を正面側から示す拡大斜視図である。
【図７】前記実施形態に係る前扉の要部を示す斜視図である。
【図８】前記実施形態に係るコンソールユニットを裏側から示す斜視図である。
【図９】図７のIX−IX線における断面図である。
【図１０】図７のＸ−Ｘ線における断面図である。
【図１１】図７のXI−XI線における断面図である。
【図１２】前記実施形態に係る前扉の組立手順を説明するための図である。
【発明を実施するための形態】
【００１５】
以下に、本発明を実施するための形態である実施形態について、図面を参照しながら説明する。
（スロットマシン１の概略構成）
本実施形態に係る遊技機としてのスロットマシン１は、図示しない三個の回転リールを備え、これら三個の回転リールの各々に記された複数種類の図柄が所定の組合せとなるように、回転している回転リールを停止させる遊技を行うものである。また、スロットマシン１は、遊技媒体として金属製のメダルを採用したものであり、メダルの投入によって遊技を開始するように形成されている。
このようなスロットマシン１には、図１に示すように、遊技を行うために必要な遊技用の各種装置を収納するために、図１に示すように、正面形状が長方形となった筐体２が備えられている。
筐体２は、六面体の箱状に形成されるとともに、前面全体が開口された部材である。そして、筐体２の前面開口は、当該筐体２に回動可能に取り付けられた前扉３で塞がれるようになっている。
なお、前扉３は、閉じられると、自動的に施錠されるようになっている。また、前扉３の前面には、操作用のスイッチとして、後述するスタートスイッチ7Fやストップスイッチ7D等が設けられている。
【００１６】
前扉３は、図１及び図２に示すように、その前面をほぼ二分する上部パネル部４及び下部パネル部５を備えたものとなっている。そして、下部パネル部５の下部には、入賞時に払い出されるメダルを貯留する受皿6Aが一体成形された受皿部６が設けられている。また、上部パネル部４と下部パネル部５との間には、遊技に係る操作を行うための操作卓７が遊技者側に突出するように形成されている。
ここで、上部パネル部４及び下部パネル部５は、意匠的に優れた外観を確保するために、合成樹脂製の化粧板が表面に張り付けられたものとなっている。
【００１７】
（上部パネル部４）
上部パネル部４には、図１中、操作卓７の上方且つ幅方向の中央部分において略長方形状に形成された表示窓4Aが設けられている。
筐体２の内部における表示窓4Aの裏側には、図示しない三個の回転リール及び図示しない液晶表示装置の一方が配置されるようなっている。
ここで、表示窓4Aの裏側に三個の回転リールが配置される場合、各回転リールの外周面に記された図柄は、筐体２の外部から表示窓4Aを通して目視可能となっている。
一方、表示窓4Aの裏側に液晶表示装置が配置される場合、液晶表示装置の画面に表示される映像は、筐体２の外部から表示窓4Aを通して目視可能となっている。
【００１８】
上部パネル部４の上端縁部分には、上端縁からスロットマシン１の前方斜め下方へ突出する庇状に形成された演出用照明装置4Bが設けられている。この演出用照明装置4Bは、上部パネル部４の上端縁部分のほぼ中央に配置され、その両端部は、上部パネル部４の角隅部分まで達することなく、その手前の位置で途切れたものとなっている。
また、上部パネル部４の上端近傍における両側縁には、上側の角隅部から下方へ表示窓4Aの上端縁の近傍まで、前扉３の側縁に沿って延びる帯状に形成された演出用照明装置4Cがそれぞれ設けられている。
なお、これらの演出用照明装置4Cの各々の下方には、演出用照明装置4Cよりも低い位置から下方へ前扉３の下端まで、前扉３の側縁に沿って延びる帯状に形成された演出用照明装置4Dがそれぞれ設けられている。
これらの演出用照明装置4B〜4Dの各々は、赤色のレンズの内部に配置された高輝度発光ダイオード等の光源を備え、遊技の進行に応じて、その光源の点灯又は点滅により、遊技における視覚的な演出効果を高めるものである。
【００１９】
表示窓4A及び演出用照明装置4Bの間には、表示窓4Aよりも小さい長方形状に形成された表示窓4Eが設けられている。この表示窓4Eの裏側には、図示しない三個の回転リール及び図示しない液晶表示装置の一方が配置されるようなっている。
さらに詳しく説明すると、表示窓4Aの裏側に三個の回転リールが配置される場合、表示窓4Eの裏側には、図示しない液晶表示装置が配置されるようになっている。
一方、表示窓4Aの裏側に液晶表示装置が配置される場合、表示窓4Eの裏側には、図示しない三個の回転リールが配置されるようなっている。
このような表示窓4Eの両側には、遊技に係る効果音を発生するスピーカを備えた音声出力部4Fがそれぞれ設けられている。
【００２０】
（操作卓７）
操作卓７は、遊技における操作に必要な各種のスイッチ類が配置されたものである。
すなわち、操作卓７における図１中右端の部分には、前扉３の施錠を解除するための鍵が挿入される鍵穴7Aが設けられている。この鍵穴7Aの左斜め上方には、メダルを投入するためのメダルの投入口7Bが開口されたメダルの投入部7Cが設けられている。
このメダルの投入口7Bの左斜め下方には、図１及び図２の如く、三個の回転リールのそれぞれを停止させる際に操作される三個のストップスイッチ7Dが設けられている。これら三個のストップスイッチ7Dのうち、左端に配置されているストップスイッチ7Dの左斜め上方には、最大枚数のメダルをベットするためのマックスベットスイッチ7Eが設けられている。
また、左端のストップスイッチ7Dの左方であって、マックスベットスイッチ7Eの左斜め下方の位置には、三個の回転リールを一斉に回転させる際に操作されるスタートスイッチ7Fが設けられている。
【００２１】
ここで、マックスベットスイッチ7Eの図１中左側の近傍には、後述の１枚ベットスイッチ7G及び精算スイッチ7Hが設けられている。
マックスベットスイッチ7Eは、遊技者等が１回の押圧操作を行うと、一般的には、３枚のメダルをベットすることを命令する投入指令信号を送出するものである。
換言すると、マックスベットスイッチ7Eは、１回の押圧操作でベット可能な最大枚数である３枚のメダルをベットするための投入スイッチである。
【００２２】
また、１枚ベットスイッチ7Gは、遊技者等が１回の押圧操作を行うと、１枚のメダルをベットすることを命令する投入指令信号を送出するものである。
換言すると、１枚ベットスイッチ7Gは、１回の押圧操作で１枚のメダルをベットするための投入スイッチである。
【００２３】
残りの精算スイッチ7Hは、遊技者等が押圧操作を行うと、貯留メダルの精算動作を実行すること、あるいは、ベットされたメダルを元に戻すことを命令する精算指令信号を送出するものである。
すなわち、精算スイッチ7Hの精算指令信号は、遊技を止めるために精算を行う精算時、換言すると、メダルのベットが行われていない時に、遊技者等によって精算スイッチ7Hが押圧操作された際に精算スイッチ7Hから出力され、貯留されているすべてのメダルを払い出させる契機となるものである。
また、精算スイッチ7Hの精算指令信号は、マックスベットスイッチ7E及び１枚ベットスイッチ7Gのいずれかの押圧操作によってメダルのベットが行われた後に、精算スイッチ7Hが押圧操作されると、メダルを元の状態、すなわち、メダルのベットによって減少したメダルのクレジット値を元のクレジット値に戻す契機となるものである。
【００２４】
（下部パネル部５及び受皿部６）
下部パネル部５には、スロットマシン１のモデルタイプを象徴するキャラクター等が描かれたパネル5Aが設けられている。
受皿部６には、メダルを貯留する前述の受皿6Aに加えて、入賞時に受皿6Aへ向かって払い出されるメダルを排出させるメダル払出口6Bと、遊技に係る効果音を発生するスピーカを備えた音声出力部6Cとが設けられている。
また、パネル5Aの裏側には、図１の如く、操作卓７に設けられたメダルの投入口7Bの真下となる位置に配置されるとともに、メダルの投入口7Bに投入されたメダルを選別するセレクタ８が設けられている。
【００２５】
（前扉３の構造）
前扉３は、本発明に基づく構造、すなわち、複数のユニット10〜70を組み合わせた構造を有するものである。以下に、本発明に係る前扉３の構造について詳しく説明する。
すなわち、前扉３は、図３に示すように、前扉３の裏側に配置された四角い枠状フレーム10と、前扉３の上端部分を形成する上部マスクユニット20と、前扉３の下端部分を形成する下部マスクユニット30と、前扉３の左端縁部を形成する左サイドユニット40と、前扉３の右端縁部を形成する右サイドユニット50と、操作卓７を形成するコンソールユニット60と、表示窓4Aを形成する窓パネルユニット70とを備えたものとなっている。
【００２６】
枠状フレーム10は、前扉３の前面の輪郭に応じて枠状に形成された四角枠状の部材である。この枠状フレーム10には、四角枠の上辺、下辺、左辺及び右辺のそれぞれを形成する上縁部11、下縁部12、左側縁部13及び右側縁部14が備えられている。
枠状フレーム10の図３中手前の面10A は、左サイドユニット40、右サイドユニット50、上部マスクユニット20及び下部マスクユニット30が取り付けられる部位となっている。
また、枠状フレーム10には、上部マスクユニット20の下端縁に対応した高さ位置において上部マスクユニット20の下端縁に沿って延びるとともに、左側縁部13及び右側縁部14の途中部分を相互に連結する補強桟15が設けられている。
【００２７】
枠状フレーム10の面10A には、上部マスクユニット20及び下部マスクユニット30の取り付けの際に、上部マスクユニット20及び下部マスクユニット30側に設けられた図示しない係止孔に挿通されることで、上部マスクユニット20及び下部マスクユニット30を仮り止めする係止突起16が複数突設されている。
また、枠状フレーム10の面10A には、筐体２を閉鎖した状態に前扉３をロックする施錠装置17が突設されている。
【００２８】
上部マスクユニット20は、左サイドユニット40と右サイドユニット50との間に挟まれた状態で、枠状フレーム10の上端部分に配置される本体部20A を備えたものである。
この上部マスクユニット20に設けられた本体部20A の左方に位置する端縁には、その上下方向のほぼ全長に渡って延びているとともに、枠状フレーム10と左サイドユニット40との間に介装される左側鍔部21が形成されている。
この左側鍔部21には、棒状の接合具であるタッピングネジ（図示略）が挿通される挿通孔（図示略）が、当該左側鍔部21を貫通するように設けられている。
【００２９】
また、上部マスクユニット20に設けられた本体部20A の右方に位置する端縁には、左方の端縁と同様に、その上下方向のほぼ全長に渡って延びているとともに、枠状フレーム10と右サイドユニット50との間に介装される右側鍔部22が形成されている。
この右側鍔部22には、左側鍔部21と同様に、タッピングネジ（図示略）が挿通される挿通孔（図示略）が、当該右側鍔部22を貫通するように設けられている。
【００３０】
下部マスクユニット30は、左サイドユニット40及び右サイドユニット50の間に挟まれた状態で、枠状フレーム10の下端部分に配置される本体部30A を備えたものである。
この下部マスクユニット30に設けられた本体部20A の左方に位置する端縁には、その上下方向のほぼ全長に渡って延びているとともに、枠状フレーム10と左サイドユニット40との間に介装される左側鍔部31が形成されている。
この左側鍔部31には、上部マスクユニット20の左側鍔部21と同様に、棒状の接合具であるタッピングネジ（図示略）が挿通される挿通孔（図示略）、当該左側鍔部31を貫通するように設けられている。
【００３１】
また、下部マスクユニット30に設けられた本体部30A の右方に位置する端縁には、左方の端縁と同様に、その上下方向のほぼ全長に渡って延びているとともに、枠状フレーム10と右サイドユニット50との間に介装される右側鍔部32が形成されている。
この右側鍔部32には、左側鍔部31と同様に、タッピングネジ（図示略）が挿通される挿通孔（図示略）が、当該右側鍔部32を貫通するように設けられている。
【００３２】
左サイドユニット40は、正面から見て、前扉３の左側の端縁に沿って延びる枠状フレーム10の左側縁部13に重ねて配置されるものである。
この左サイドユニット40は、二つの三角形状の山形を長手方向に連ねた側面形状を有するものである。このような左サイドユニット40には、前述した帯状に延びる演出用照明装置4C及び演出用照明装置4Dが備えられている。
【００３３】
右サイドユニット50は、正面から見て、前扉３の左側の端縁に沿って延びる枠状フレーム10の左側縁部13に重ねて配置されるものである。
この右サイドユニット50は、左サイドユニット40と同様に、二つの三角形状の山形を長手方向に連ねた側面形状を有するものであり、前述した帯状に延びる演出用照明装置4C及び演出用照明装置4Dを備えている。
【００３４】
以上において、上部マスクユニット20の左側鍔部21は、左サイドユニット40と枠状フレーム10の左側縁部13との間に挟まれた状態で、当該左側鍔部21の挿通孔（図示略）及び枠状フレーム10の左側縁部13に形成された挿通孔（図示略）の両方を通り抜けたタッピングネジ（図示略）の先端を左サイドユニット40に係止、具体的には、螺合させることによって枠状フレーム10の左側縁部13に固定されている。
このような左側鍔部21と同様に、上部マスクユニット20の右側鍔部22は、右サイドユニット50と枠状フレーム10の右側縁部14との間に挟まれた状態で、当該右側鍔部22の挿通孔（図示略）及び枠状フレーム10の右側縁部14に形成された挿通孔（図示略）の両方を通り抜けたタッピングネジ（図示略）の先端を右サイドユニット50に係止、具体的には、螺合させることによって枠状フレーム10の右側縁部14に固定されている。
【００３５】
一方、下部マスクユニット30の左側鍔部31は、左サイドユニット40と枠状フレーム10の左側縁部13との間に挟まれた状態で、当該左側鍔部31の挿通孔（図示略）及び枠状フレーム10の左側縁部13に形成された挿通孔（図示略）の両方を通り抜けたタッピングネジ（図示略）の先端を左サイドユニット40に係止、具体的には、螺合させることによって枠状フレーム10の左側縁部13に固定されている。
このような左側鍔部31と同様に、下部マスクユニット30の右側鍔部32は、右サイドユニット50と枠状フレーム10の右側縁部14との間に挟まれた状態で、当該右側鍔部32の挿通孔（図示略）及び枠状フレーム10の右側縁部14に形成された挿通孔（図示略）の両方を通り抜けたタッピングネジ（図示略）の先端を右サイドユニット50に係止、具体的には、螺合させることによって枠状フレーム10の右側縁部14に固定されている。
【００３６】
そして、上部マスクユニット20及び下部マスクユニット30は、それぞれの左側鍔部21及び左側鍔部31が左サイドユニット40及び枠状フレーム10の左側縁部13の間に挟持され、且つ、それぞれの右側鍔部22及び右側鍔部32が右サイドユニット50及び枠状フレーム10の右側縁部14の間に挟持されることにより、左サイドユニット40及び右サイドユニット50とともに枠状フレーム10に固定されるようになっている。
なお、上部マスクユニット20の左側鍔部21及び右側鍔部22、並びに、下部マスクユニット30の左側鍔部31及び右側鍔部32の各前面には、タッピングネジで左サイドユニット40及び右サイドユニット50を枠状フレーム10に固定する際に、左サイドユニット40及び右サイドユニット50側に設けられた図示しない係止孔に挿通されることで、左サイドユニット40及び右サイドユニット50を仮り止めする図示しない係止突起が複数突設されている。
【００３７】
コンソールユニット60は、左サイドユニット40及び右サイドユニット50の間に挟まれた状態で、下部マスクユニット30の上部に取り付けられるものである。また、コンソールユニット60は、操作卓７を形成するものであり、ストップスイッチ7D及びスタートスイッチ7F等の操作用のスイッチ、並びに、メダルの投入口7Bが設けられている。
以下の説明では、上部マスクユニット20及び下部マスクユニット30、並びに、左サイドユニット40及び右サイドユニット50が枠状フレーム10に取り付けられた状態のものを「中間組立品」といい、コンソールユニット60は、この中間組立品に取り付けられるようになっている。換言すると、左サイドユニット40及び右サイドユニット50、並びに、下部マスクユニット30の三つの構成部品に、コンソールユニット60を取り付けるための取付部位が形成され、中間組立品まで組立作業を完了させないと、コンソールユニット60の取付作業が行えないようになっている。
【００３８】
窓パネルユニット70は、外部から内部の遊技用装置を見せるために形成された窓である表示窓4Aを囲む枠部71と、内部の遊技用装置を保護するために、枠部71の表示窓4Aに嵌め込まれた透明面材72を有するものである。
この窓パネルユニット70は、中間組立品におけるコンソールユニット60及び上部マスクユニット20の間の開口を塞ぐように配置されるものとなっている。
換言すると、窓パネルユニット70は、コンソールユニット60が取り付けられた状態の中間組立品に取り付けられるようになっている。換言すると、枠状フレーム10、上部マスクユニット20及びコンソールユニット60の三つの構成部品に、窓パネルユニット70を取り付けるための取付部位が形成され、コンソールユニット60を中間組立品に取り付けてからでないと、窓パネルユニット70の取付作業が行えないようになっている。
【００３９】
（コンソールユニット60の取付構造）
左サイドユニット40及び右サイドユニット50、並びに、下部マスクユニット30には、前述したように、コンソールユニット60を取り付けるために、それぞれ取付部位が形成されている。ここでは、最初に左サイドユニット40及び右サイドユニット50の取付部位について説明し、その後、下部マスクユニット30の取付部位について説明する。
【００４０】
図４に示すように、左サイドユニット40及び右サイドユニット50の互いに対向する端面41A, 51Aには、コンソールユニット60を取り付けるための取付部位として、互いに近づく方向に突出したフランジ部42, 52が形成されている。
これらのフランジ部42, 52は、中間組立品の高さ方向におけるコンソールユニット60の取付高さレベルに応じた位置に配置されている。
なお、フランジ部42, 52は、互いに左右対称なので、一方の鏡像は、他方と同一形状となっているので、以下においてフランジ部42, 52の両方について説明を行うにあたり、図面においては、フランジ部42, 52の一方を代表として示しながら説明する。
【００４１】
フランジ部42, 52のそれぞれには、図５に示すように、コンソールユニット60側の位置決め部と凹凸嵌合する第１凹部43A, 53A及び第２凹部44A, 54Aの各々が形成された第１膨出部43, 53及び第２膨出部44, 54が設けられている。
第１膨出部43, 53及び第２膨出部44, 54の各々は、スロットマシン１の裏側へ向かって膨出するものである。
このうち、第１膨出部43, 53の底部には、コンソールユニット60側の位置決め部と螺合する図示しないタッピングネジを挿通させる挿通孔45, 55が形成されている。
一方、第２膨出部44, 54の底部は、完全に塞がったものとなっている。
【００４２】
第１凹部43A, 53Aの各々は、円形の断面形状を有するとともに、スロットマシン１の前面側に開口する穴であり、コンソールユニット60の両端にそれぞれ形成された第１の位置決め部である円筒状の第１凸部61を内部に嵌合させるものとなっている。なお、コンソールユニット60側の第１凸部61の頂部には、挿通孔45, 55を通り抜けたタッピングネジを螺合させる螺合部61A が形成されている。
第２凹部44A, 54Aは、長方形の断面形状を有するとともに、スロットマシン１の前面側に開口する細長い穴であり、コンソールユニット60の両端にそれぞれ形成された第２の位置決め部である四角板状の第２凸部62を内部に嵌合させるものとなっている。
【００４３】
以上において、左サイドユニット40及び右サイドユニット50側の第１凹部43A, 53A及び第２凹部44A, 54Aと、コンソールユニット60側の第１凸部61及び第２凸部62とは、互いに対応する位置に設けられるとともに、互いに凹凸嵌合することによって左サイドユニット40及び右サイドユニット50に対する、コンソールユニット60の左右方向及び上下方向の位置を決める位置決め部である。
なお、左サイドユニット40及び右サイドユニット50のそれぞれの裏側部分41B, 51Bには、第１凹部43A, 53Aから斜め上方の位置に配置されるとともに、窓パネルユニット70に向かって突出する凸部46, 56が形成されている。これらの凸部46, 56は、窓パネルユニット70に設けられた位置決め部である後述する凹部73A と凹凸嵌合するものである。また、凸部46, 56の頂部には、窓パネルユニット70を取り付けるためのタッピングネジと螺合する螺合部46A, 56Aが設けられている。
【００４４】
この際、コンソールユニット60側の第１凸部61及び第２凸部62は、コンソールユニット60の両側に設けられている側壁60A の先端面60B から対応するフランジ部42, 52に向かって突出するように形成されたものとなっている。
そして、図６及び図７に示すように、左サイドユニット40及び右サイドユニット50側のフランジ部42, 52のそれぞれには、コンソールユニット60の対応する側壁60A を端面41A, 51Aとの間で挟み込むように形成された障壁47, 57が設けられている。
【００４５】
図７に示すように、下部マスクユニット30の上端縁部分33は、略「コ」字形の平面形状を備えている。この上端縁部分33には、略水平方向に開口された溝部33A が形成されている。そして、この溝部33A の底面には、スロットマシン１の前方へ突出する二つの側面を備えており、こののうち、図７中上方に配置された側面は、上端縁部分33に沿って延びる側壁33B の一側面として形成されている。
【００４６】
この上端縁部分33の側壁33B には、コンソールユニット60側の位置決め部と凹凸嵌合する第３凹部34A が形成された複数の第３膨出部34が互いに離間して設けられている。これらの第３膨出部34は、上端縁部分33からスロットマシン１の裏側へ突出するものとなっている。
第３凹部34A は、円形の断面形状を有するとともに、スロットマシン１の前面側に開口する穴である。第３凹部34A の底部には、図示しないタッピングネジを挿通させる図示しない挿通孔が形成されている。
【００４７】
複数設けられている第３膨出部34の間には、コンソールユニット60側に設けられた第４の位置決め部と凹凸嵌合する第４凹部35A が形成された複数の第４膨出部35が設けられている。これらの第４膨出部34は、上端縁部分33から上方へ突出するものとなっている。
第４凹部35Aは、長方形の断面形状を有するとともに、スロットマシン１の前後方向に第４膨出部34を貫通する細長い孔である。
【００４８】
この際、下部マスクユニット30及びコンソールユニット60には、下部マスクユニット30側に設けられているセレクタ８のメダル入口と、コンソールユニット60側に設けられているメダルの投入口7Bとの位置合わせを行う凹凸嵌合式の位置決め部が設けられている。
すなわち、下部マスクユニット30の裏側には、セレクタ８を取り付けるための取付ベース36が固定されている。この取付ベース36のコンソールユニット60に面した側壁36A には、コンソールユニット60側に設けられた後述する第５凸部65と凹凸嵌合する第５凹部36B が設けられている。この第５凹部36B は、長方形の断面形状を有するとともに、スロットマシン１の前後方向に取付ベース36の側壁36A を貫通する細長い孔である。
ここで、取付ベース36は、鋼板等の金属板を折り曲げ成形したものであり、特に図示しないが、複数箇所がネジ止めされることで、下部マスクユニット30への固定が強固になされている。
【００４９】
一方、コンソールユニット60には、図８に示すように、下部マスクユニット30側の位置決め部のそれぞれに対応する位置に配置されるとともに対応する形態を有する第３凸部63、第４凸部64及び第５凸部65とが設けられている。
すなわち、コンソールユニット60の下端縁には、略「コ」字形の平面形状を備えた鍔部60C が設けられている。この鍔部60C は、下部マスクユニット30側の上端縁部分33に設けられた溝部33A の内部に嵌め込まれるものとなっている。
【００５０】
また、鍔部60C には、下部マスクユニット30側の第３凹部34A に対応して第３凸部63が設けられているとともに、下部マスクユニット30側の第４凹部35A に対応して第４凸部64が設けられている。
第３凸部63は、鍔部60C から下部マスクユニット30へ向かって突出する円筒状の突起であり、下部マスクユニット30に形成された第３凹部34A の内部に嵌め込まれるものである。この第３凸部63の頂部には、下部マスクユニット30側の第３凹部34の底部に形成された挿通孔（図示略）を通り抜けたタッピングネジ（図示略）を螺合させる螺合部63A が形成されている。
第４凸部64は、鍔部60C から下部マスクユニット30へ向かって突出する細長い四角形状の突起であり、下部マスクユニット30に形成された第４凹部35A の内部に嵌め込まれるものである。
【００５１】
また、コンソールユニット60の内側面60D には、メダルの投入部7Cの下方となる位置に先端が配置されるように、第５凸部65が突設されている。
この第５凸部65は、下部マスクユニット30へ向かって突出する細長い四角形状の突起であり、下部マスクユニット30に設けられた取付ベース36の側壁36A に形成された第５凹部36B の内部に嵌め込まれるものである。
【００５２】
以上において、左サイドユニット40及び右サイドユニット50側の第１凹部43A, 53A及び第２凹部44A, 54Aと、コンソールユニット60側の第１凸部61及び第２凸部62とは、互いに対応する位置に設けられるとともに、互いに凹凸嵌合することによって左サイドユニット40及び右サイドユニット50に対する、コンソールユニット60の左右方向及び上下方向の位置を決める位置決め部である。
【００５３】
以上において、下部マスクユニット30側の第３凹部34A 、第４凹部35A 及び第５凹部36B と、コンソールユニット60側の第３凸部63、第４凸部64及び第５凸部65とは、互いに対応する位置に設けられるとともに、互いに凹凸嵌合することによって下部マスクユニット30に対する、コンソールユニット60の左右方向及び上下方向の位置を決める位置決め部である。
【００５４】
そして、コンソールユニット60は、第１凸部61及び第２凸部62を左サイドユニット40及び右サイドユニット50側の第１凹部43A, 53A及び第２凹部44A, 54Aに嵌合させるとともに、第３凸部63、第４凸部64及び第５凸部65を、下部マスクユニット30側の第３凹部34A 、第４凹部35A 及び第５凹部36B に嵌合させ、この状態で、左サイドユニット40及び右サイドユニット50側の挿通孔45, 55に挿通させたタッピングネジを螺合部61A に螺合させ、下部マスクユニット30側の挿通孔34B に挿通させたタッピングネジを螺合部63A に螺合させることで、中間組立品に取り付けられるようになっている。
【００５５】
この際、コンソールユニット60側の第５凸部65の先端近傍には、先端部65A の幅（図８中上下方向の寸法）が小さくなるように形成された段付部65B が設けられている。
この段付部65B は、コンソールユニット60の下部マスクユニット30に対する前後方向の位置決めを行うためのものである。
すなわち、段付部65B の下部マスクユニット30に対向する端面は、第５凸部65の先端部65A が下部マスクユニット30側の第５凹部36B の内部に嵌め込まれると、取付ベース36の側壁36A に当接し、これにより、コンソールユニット60の下部マスクユニット30に対する前後方向の位置決めを行うものとなっている。
【００５６】
また、コンソールユニット60の上端縁には、スロットマシン１の後方へ向かって突出する鍔部60E が設けられている。この鍔部60E の下方近傍には、コンソールユニット60の内側面60D から突出する複数の第６凸部66が離間して設けられている。
これらの第６凸部66は、左サイドユニット40及び右サイドユニット50のそれぞれに設けられた凸部46, 56と同様に、窓パネルユニット70に設けられた位置決め部と凹凸嵌合するものである。また、第６凸部66の頂部には、タッピングネジ（図示略）を螺合させる螺合部66A が形成されている。
【００５７】
図３に戻って、窓パネルユニット70の枠部71は、図３に示すように、その下辺70A の端部からの下方へ突出する耳部73と、下辺70A の途中部分における互いに離間した位置から下方へ突出する複数の耳部74と、その上辺70B の端部からの上方へ突出する耳部75と、上辺70B の途中部分における互いに離間した位置から上方へ突出する複数の耳部76とを備えたものとなっている。
【００５８】
耳部73は、図６に示すように、コンソールユニット60側を向いた面から突出する円弧状の突条に囲まれた部位が、左サイドユニット40及び右サイドユニット50の対応する凸部46, 56が嵌め込まれる凹部73A となっている。
そして、この凹部73A の底部には、凸部46, 56の螺合部46A, 56Aと螺合するタッピングネジを挿通させる挿通孔73B が設けられている。
耳部74は、図７に示すように、コンソールユニット60側を向いた面から突出する円弧状の突条に囲まれた部位が、コンソールユニット60の第６凸部66が嵌め込まれる凹部74A となっている。
そして、この凹部74A の底部には、第６凸部66の螺合部66A と螺合するタッピングネジを挿通させる挿通孔74B が設けられている。
耳部75は、耳部73と、耳部76は、耳部74と上下関係が逆となってはいるが同様の形態、構造を有するものであるので、その説明を省略する。
ここで、窓パネルユニット70の下端縁近傍には、コンソールユニット60側へ向かって突出する段付部77が当該下端縁のほぼ全長に渡って形成されている。
【００５９】
ところで、左サイドユニット40及び右サイドユニット50のそれぞれの裏側部分41B, 51Bには、特に図示しないが、窓パネルユニット70側の耳部75に対応する位置に、凸部46, 56と同様の凸部（図示略）が形成されている。
また、上部マスクユニット20の裏側部分には、特に図示しないが、窓パネルユニット70側の耳部76に対応する位置に、コンソールユニット60の第６凸部66と同様の凸部（図示略）が形成されている。
【００６０】
以上において、下部マスクユニット30側の第３凹部34A 、第４凹部35A 及び第５凹部36B と、コンソールユニット60側の第３凸部63、第４凸部64及び第５凸部65とは、互いに対応する位置に設けられるとともに、互いに凹凸嵌合することによって下部マスクユニット30に対する、コンソールユニット60の左右方向及び上下方向の位置を決める位置決め部である。
【００６１】
窓パネルユニット70は、左サイドユニット40及び右サイドユニット50側の凸部46を、その凹部73A に嵌合さるとともに、コンソールユニット60側の第６凸部66を、その凹部74A に嵌合させ、さらに、以下は特に図示しないが、耳部75に形成された凹部に、左サイドユニット40及び右サイドユニット50側のそれぞれに形成された凸部を嵌合させるとともに、耳部76に形成された凹部に、上部マスクユニット20側に形成された凸部を嵌合させ、この状態で、窓パネルユニット70側の耳部73〜76に形成した挿通孔（73B, 74B）に挿通させたタッピングネジを、左サイドユニット40、右サイドユニット50、コンソールユニット60及上部マスクユニット20のそれぞれに形成した螺合部（46A,56A, 66A）に螺合させることで、コンソールユニット60及び中間組立品に取り付けられるようになっている。
そして、コンソールユニット60の取り付けられている中間組立品に、窓パネルユニット70が取り付けられると、前扉３は、ほぼ完成となる。
この際、窓パネルユニット70は、枠状フレーム10に取り付けられた上部マスクユニット20の下端部分に、当該窓パネルユニット70の上端部分が裏側から重ね合わされ、この状態で窓パネルユニット70の上端部分が上部マスクユニット20に取り付けられている。
また、窓パネルユニット70は、コンソールユニット60の上端部分に、当該窓パネルユニット70の下端部分を裏側から重ね合わされ、この状態で窓パネルユニット70の下端部分がコンソールユニット60に取り付けられている。
【００６２】
ここで、ほぼ完成状態となった前扉３は、コンソールユニット60の周囲に形成される隙間が塞がれるようになっている。
すなわち、図９に示すように、コンソールユニット60の上端縁に形成された鍔部60E は、窓パネルユニット70の下端縁近傍に形成された段付部77と重なり合って、いわゆる「印籠構造」を形成するようになっている。これにより、コンソールユニット60と窓パネルユニット70との間に形成される隙間81は、その奥の分部で段付部77によって塞がれているようになっている。
【００６３】
また、左サイドユニット40及び右サイドユニット50側のフランジ部42, 52のそれぞれには、前述の如く、コンソールユニット60の対応する側壁60A を端面41A, 51Aとの間で挟み込むように形成された障壁47, 57が設けられている。
そして、コンソールユニット60が中間組立品に取り付けられた状態では、図１０に示すように、コンソールユニット60の側壁60A が、端面41A, 51Aと障壁47, 57との間で挟み込まれるようになっている。これにより、コンソールユニット60と左サイドユニット40及び右サイドユニット50との間に形成される隙間82は、その奥の分部でフランジ部42, 52によって塞がれるようになっている。
【００６４】
さらに、コンソールユニット60が中間組立品に取り付けられた状態では、図１１に示すように、コンソールユニット60の下端縁に形成されている鍔部60C が、下部マスクユニット30側の上端縁部分33に設けられた溝部33A の内部に嵌め込まれるようになっている。これにより、コンソールユニット60と下部マスクユニット30との間に形成される隙間83は、その奥の分部で溝部33A の底部によって塞がれるようになっている。
【００６５】
次に、本実施形態に係る前扉３の組立作業の手順について簡単に説明する。
まず、図１２（Ａ）に示すように、他のユニットが取り付けられていない枠状フレーム10及び他のユニット20〜70を製造しておく。
そして、枠状フレーム10を組立ラインに配置し、まず、図１２（Ｂ）に示すように、
枠状フレーム10の下端部分に下部マスクユニット30を仮止めし、次いで、図１２（Ｃ）に示すように、枠状フレーム10の上端部分に上部マスクユニット20を仮止めする。
この後、図１２（Ｄ）に示すように、上部マスクユニット20の左側鍔部21及び下部マスクユニット30の左側鍔部31に左サイドユニット40を仮止めするとともに、上部マスクユニット20の右側鍔部22及び下部マスクユニット30の右側鍔部32に右サイドユニット50を仮止めする。
【００６６】
次いで、枠状フレーム10の左側縁部13及び上部マスクユニット20の左側鍔部21を貫通したタッピングネジ、並びに、枠状フレーム10の左側縁部13及び下部マスクユニット30の左側鍔部31を貫通したタッピングネジを左サイドユニット40に螺合させ、さらに、枠状フレーム10の右側縁部14及び上部マスクユニット20の右側鍔部22を貫通したタッピングネジ、並びに、枠状フレーム10の右側縁部14及び下部マスクユニット30の右側鍔部32を貫通したタッピングネジを右サイドユニット50に螺合させることにより、上部マスクユニット20、下部マスクユニット30、左サイドユニット40及び右サイドユニット50を枠状フレーム10に固定する。そして、これにより、中間組立品が形成される。
【００６７】
続いて、中間組立品の所定位置に前方からコンソールユニット60を押し当てて、これにより、図１２（Ｄ）に示すように、中間組立品の所定位置にコンソールユニット60を配置し、この状態で、中間組立品にコンソールユニット60をタッピングネジで取り付ける。
この後、図１２（Ｆ）に示すように、コンソールユニット60が取り付けられた中間組立品の所定位置に、後方から窓パネルユニット70を押し当てて、これにより、中間組立品の所定位置に窓パネルユニット70を配置し、この状態で、中間組立品に窓パネルユニット70をタッピングネジで取り付け、以上により、前扉３の組立作業が完了する。
【００６８】
前述のような本実施形態によれば、次のような効果が得られる。
すなわち、前扉３の前面輪郭に応じた形状の枠状フレーム10と、前扉３の左側端縁に配置される左サイドユニット40と、前扉３の右側端縁に配置される右サイドユニット40と、枠状フレーム10の上端部分に配置される上部マスクユニット20と、枠状フレーム10の下端部分に配置される下部マスクユニット30と、下部マスクユニット30の上部に取り付けられるコンソールユニット60と、コンソールユニット60及び上部マスクユニット20の間に配置される窓パネルユニット70とを前扉３の構成部品とし、これらの構成部品を組み合わせることで、前扉３が形成されるようにしたので、例えば、左サイドユニット40、右サイドユニット50及び上部マスクユニット20を別のものに交換するだけで、見るの者の印象が大きく異なる外観にすることができ、これにより、機種変更の際における外観の大幅な変更を充分図ることができる。
【００６９】
また、上部マスクユニット20の両方の側縁にそれぞれ左側鍔部21及び右側鍔部22を設け、下部マスクユニット30の両方の側縁にも、上部マスクユニット20と同様に、それぞれ左側鍔部31及び右側鍔部32を設け、上部マスクユニット20及び下部マスクユニット30のそれぞれの左側鍔部21、31を枠状フレーム10及び左サイドユニット40の間に介装し、枠状フレーム10及び左側鍔部21, 31の両方を貫通したタッピングネジを左サイドユニット40に螺合させ、且つ、上部マスクユニット20及び下部マスクユニット30のそれぞれの右側鍔部22, 32を枠状フレーム10及び右サイドユニット50の間に介装し、枠状フレーム10及び右側鍔部22, 32の両方を貫通した貫通したタッピングネジを右サイドユニット50に螺合させることで、右サイドユニット40、左サイドユニット50、上部マスクユニット20及び下部マスクユニット30を枠状フレーム10に取り付けるようにしたので、上部マスクユニット20及び下部マスクユニット30に螺合させるタッピングネジが必要なく、構成部品の数が増えているにもかかわらず、接合箇所を増やす必要がなく、構成部品の点数増加に起因した接合箇所の増大を未然に防止することができる。
従って、前扉３の構成部品の数を増やしても、タッピングネジ等の接合具による接合箇所が増えないので、スロットマシン１の組立作業時間が長びくことがなく、部品の再利用によってコストの低減も充分に図ることができる。
【００７０】
さらに、枠状フレーム10に取り付けられた上部マスクユニット20の下端部分に窓パネルユニット70の上端部分を裏側から重ね合わせ、この状態で窓パネルユニット70の上端部分を上部マスクユニット20に取り付け、且つ、コンソールユニット60の上端部分に窓パネルユニット70の下端部分を裏側から重ね合わせ、この状態で窓パネルユニット70の下端部分をコンソールユニット60に取り付けるようにしたので、上部マスクユニット20及び下部マスクユニット30を枠状フレーム10に取り付ける際に、上部マスクユニット20及び下部マスクユニット30の枠状フレーム10に対する位置に誤差が生じていても、ひいては、コンソールユニット60の枠状フレーム10に対する位置に誤差が生じていても、例えば、窓パネルユニット70側の凹部73A, 74Aの内径を中間組立品側の凸部46,56,66の外径よりも充分大きくしておけば、窓パネルユニット70の取り付けが何ら問題なく行える。
【００７１】
従って、上部マスクユニット20及び下部マスクユニット30の枠状フレーム10への取付精度が緩和され、その取付作業の時間短縮が図れるようになるので、スロットマシン１の組立作業時間を短縮でき、この点からも、コストの低減を充分に図れるようになる。
さらに、上部マスクユニット20の両側の左側鍔部21及び右側鍔部22と、下部マスクユニット30の両側の左側鍔部31及び右側鍔部32とにより、右サイドユニット40及び左サイドユニット50と、上部マスクユニット20及び下部マスクユニット30との間に形成される隙間が裏側から塞がれるので、構成部品の点数増加に起因して隙間の形成箇所が増えても、当該隙間から針金等の細長い器具を挿入することが未然に防止されるようになり、不正行為の防止も充分に図ることができる。
【００７２】
また、左サイドユニット40及び右サイドユニット50の互いに対向する端面41A, 51Aに、互いに近づく方向に突出したフランジ部42, 52を形成し、コンソールユニット60及び下部マスクユニット30の双方に、相手に対して左右方向及び上下方向における位置決めを行う凸部63,64,65及び凹部34A, 35Aを形成し、左サイドユニット40及び右サイドユニット50のフランジ部42, 52と、コンソールユニット60との双方に、相手に対して左右方向及び上下方向における位置決めを行う凸部61, 62及び凹部43A,44A,53A,54A を形成したので、左サイドユニット40、右サイドユニット50、上部マスクユニット20、及び、下部マスクユニット30を枠状フレーム10に取り付け、これにより、前扉３の組立工程における途中の状態である中間組立品を形成した後、この中間組立品にコンソールユニット60を取り付けるにあたり、左サイドユニット40及び右サイドユニット50のフランジ部42, 52に設けた凹部43A,44A,53A,54A 、並びに、下部マスクユニット30の凹部34A, 35Aにコンソールユニット60の凸部61〜64を嵌合させれば、中間組立品の所定位置にコンソールユニット60を正確、且つ、迅速に取り付けることができ、これにより、スロットマシン１の組立作業時間を短縮でき、この点からも、コストの低減を充分に図ることができる。
【００７３】
しかも、コンソールユニット60の第５凸部65の先端近傍に、下部マスクユニット30に対して前後方向における位置決めを行うために、嵌合方向における所定位置で下部マスクユニット30の第５凹部36B に係合する段付部65B を形成したので、下部マスクユニット30の第５凹部36B にコンソールユニット60の第５凸部65を嵌合させるとともに、第５凸部65の段付部65B を、下部マスクユニット30の第５凹部36B の所定位置に設置された取付ベース36の側壁36A に当接させれば、下部マスクユニット30の前後方向における所定位置にコンソールユニット60を正確且つ迅速に配置することができ、これにより、下部マスクユニット30側に設けられているセレクタ８のメダル入口と、コンソールユニット60側に設けられているメダルの投入口7Bとの位置合わせも正確且つ迅速に行われ、この点からも、スロットマシン１の組立作業時間を短縮でき、コストの低減を充分に図ることができる。
【００７４】
また、取付ベース36として、鋼板等の金属板を折り曲げ成形したものを採用し、このような取付ベース36を、複数箇所のネジ止めで下部マスクユニット30に強固に固定し、且つ、取付ベース36にも、コンソールユニット60側の第５凸部65と嵌合する第５凹部36B を設け、第５凹部36B に第５凸部65を嵌合させることでコンソールユニット60の下部マスクユニット30への取付強度を補強したので、コンソールユニット60を下部マスクユニット30に強固に取り付けることができ、遊技者の操作時にコンソールユニット60がぐらつく等の不具合の発生を未然に防止することができる。
【００７５】
さらに、コンソールユニット60と窓パネルユニット70との間に形成される隙間81の奥の分部を段付部77で塞ぎ、コンソールユニット60と左サイドユニット40及び右サイドユニット50との間に形成される隙間82の奥の分部をフランジ部42, 52で塞ぎ、且つ、コンソールユニット60と下部マスクユニット30との間に形成される隙間83の奥の分部を溝部33A の底部で塞ぐようにしたので、コンソールユニット60を一つの構成部品としたために、構成部品の点数が増加し、これに起因して隙間81〜83が形成されても、当該隙間81〜83から針金等の細長い器具を挿入することが未然に防止されるようになり、この点からも、不正行為の防止も充分に図ることができる。
【００７６】
なお、本発明は、前記実施形態に限定されるものではなく、本発明の目的を達成できる範囲における変形及び改良などをも含むものである。
例えば、凹凸嵌合による位置決め部の凹部と凸部との位置関係は、前記実施形態で示した位置関係に限らず、全ての凹部と凸部とについて位置関係が逆であってもよいし、一部の凹部と凸部とについて位置関係が逆であってもよい。
また、遊技機としては、スロットマシンに限らず、メダルを遊技媒体とするアーケード遊技機等、筐体の前面開口を開閉する前扉を備えた遊技機全般に適用できる。
【符号の説明】
【００７７】
1      遊技機としてのスロットマシン      2      筐体
3      前扉     4A     窓としての表示窓   7D     ストップスイッチ
7E     マックスベットスイッ              7F     スタートスイッチ
7G     １枚ベットスイッチ                7H     精算スイッチ
8      セレクタ                          10      枠状フレーム
13      枠状フレームの左側縁部            14      枠状フレームの右側縁部
20      上部マスクユニット                21, 31  左側鍔部
22, 32  右側鍔部                          30      下部マスクユニット
34A     位置決め部としての第３凹部        35A     位置決め部としての第４凹部
36B     位置決め部としての第５凹部        40      左サイドユニット
41A     左サイドユニットの端面            42, 52  フランジ部
43A     位置決め部としての第１凹部        44A     位置決め部としての第２凹部
50      右サイドユニット                  51A     右サイドユニットの端面
53A     位置決め部としての第１凹部        54A     位置決め部としての第２凹部
60      コンソールユニット                61      位置決め部としての第１凸部
62      位置決め部第２凸部                63      位置決め部としての第３凸部
64      位置決め部としての第４凸部        65      位置決め部としての第５凸部
65A     段付部                            70      窓パネルユニット
72      透明面材
【図１】
0005382727.tif 000002
【図２】
0005382727.tif 000003
【図３】
0005382727.tif 000004
【図４】
0005382727.tif 000005
【図５】
0005382727.tif 000006
【図６】
0005382727.tif 000007
【図７】
0005382727.tif 000008
【図８】
0005382727.tif 000009
【図９】
0005382727.tif 000010
【図１０】
0005382727.tif 000011
【図１１】
0005382727.tif 000012
【図１２】
0005382727.tif 000013